(57)【要約】【課題】表示装置を鏡として用いる際に、利用者に違和感を与えることがないようにする。【解決手段】システム制御回路５０はカメラ１１で得られた画像データにおいて利用者の大きさを検出するとともに、カメラと利用者との距離を観察距離として検出し、被写体の大きさおよび観察距離に基づいて、画像データに応じた画像を表示パネル２に表示する際の表示倍率を設定する。そして、システム制御回路は表示倍率に基づいて画像データに応じた画像の大きさを補正して当該補正された画像を表示パネルに表示する。【選択図】図４
2017069773.tif 000002
【特許請求の範囲】
【請求項１】
画像が表示される表示パネルと、被写体を撮像して画像データを得る撮像装置とを有する表示装置であって、
前記画像データにおいて前記被写体の大きさを検出するとともに、前記撮像装置と前記被写体との距離を観察距離として検出する第１の検出手段と、
前記被写体の大きさおよび前記観察距離に基づいて、前記画像データに応じた画像を前記表示パネルに表示する際の表示倍率を設定する設定手段と、
前記表示倍率に基づいて前記画像データに応じた画像の大きさを補正して、当該補正された画像を前記表示パネルに表示する第１の表示制御を行う表示制御手段と、
を有することを特徴とする表示装置。
【請求項２】
前記撮像装置で連続して得られた画像データにおいて前記被写体の顔の大きさの変化量を検出する第２の検出手段を備え、
前記表示制御手段は、前記変化量に基づいて前記画像データに応じた画像の大きさを補正することを特徴とする請求項１に記載の表示装置。
【請求項３】
前記表示制御手段は、前記被写体の大きさの変化が前記変化量の１／２となるように前記画像データに応じた画像を補正することを特徴とする請求項２に記載の表示装置。
【請求項４】
前記表示パネルを鏡として用いる鏡モードと、前記画像データを第１の画像データとして相手側の機器に送信するとともに前記相手側の機器から画像データを第２の画像データとして受信する通信モードとのいずれかを選択する選択手段を備え、
前記表示制御手段は、前記選択手段によって前記鏡モードが選択された際、前記第１の表示制御を行うことを特徴とする請求項１乃至３のいずれか１項に記載の表示装置。
【請求項５】
前記表示制御手段は、前記選択手段によって前記通信モードが選択された際、前記第２の画像データに応じた画像を前記表示パネルに表示する際、前記第２の画像データに含まれる被写体を前記表示パネルの予め定められた位置に表示する第２の表示制御を行うことを特徴とする請求項４に記載の表示装置。
【請求項６】
前記表示パネルは光の透過が可能なパネルであり、前記撮像装置は前記表示パネルの背面側に配置されており、前記予め定められた位置は前記撮像装置が配置された位置に対応する位置であることを特徴とする請求項５に記載の表示装置。
【請求項７】
前記表示パネルは光の透過が可能なパネルであり、前記撮像装置は前記表示パネルの背面側に配置されていることを特徴とする請求項１乃至４のいずれか１項に記載の表示装置。
【請求項８】
前記被写体は、人物の顔であることを特徴とする請求項１乃至７のいずれか１項に記載の表示装置。
【請求項９】
画像が表示される表示パネルと、被写体を撮像して画像データを得る撮像装置とを有する表示装置の制御方法であって、
前記画像データにおいて前記被写体の大きさを検出するとともに、前記撮像装置と前記被写体との距離を観察距離として検出する検出ステップと、
前記被写体の大きさおよび前記観察距離に基づいて、前記画像データに応じた画像を前記表示パネルに表示する際の表示倍率を設定する設定ステップと、
前記表示倍率に基づいて前記画像データに応じた画像の大きさを補正して、当該補正された画像を前記表示パネルに表示する表示制御ステップと、
を有することを特徴とする制御方法。
【請求項１０】
画像が表示される表示パネルと、被写体を撮像して画像データを得る撮像装置とを有する表示装置で用いられる制御プログラムであって、
前記表示装置が備えるコンピュータに、
前記画像データにおいて前記被写体の大きさを検出するとともに、前記撮像装置と前記被写体との距離を観察距離として検出する検出ステップと、
前記被写体の大きさおよび前記観察距離に基づいて、前記画像データに応じた画像を前記表示パネルに表示する際の表示倍率を設定する設定ステップと、
前記表示倍率に基づいて前記画像データに応じた画像の大きさを補正して、当該補正された画像を前記表示パネルに表示する表示制御ステップと、
を実行させることを特徴とする制御プログラム。
【発明の詳細な説明】
【技術分野】
【０００１】
本発明は、テレビ電話又はテレビ会議などに用いられる撮像装置付き表示装置に関し、特に、有機ＥＬパネルなどの透過型の表示パネルの背面に撮像装置が配置された表示装置に関する。
【背景技術】
【０００２】
一般に、テレビ電話又はテレビ会議などのように、リアルタイムで双方向通信を行うようにした通信システムが知られている。例えば、テレビ会議システムにおいて用いられる機器には、テレビ会議を行う拠点毎にカメラなどの撮像装置とディスプレイなどの表示装置が備えられている。そして、１つの拠点において撮像装置による撮像で得られた映像が他の拠点に送られ、他の拠点では表示装置に当該映像が表示される。
【０００３】
つまり、テレビ会議システムの利用者は、表示装置に表示された相手の顔を見つつ会話を行う。そして、利用者の顔は撮像装置によって撮像されて映像として相手側に送られる。
【０００４】
ところで、上述の表示装置をテレビ会議などに使用するばかりでなく、撮像装置によって利用者の顔を撮影して、当該顔画像を表示装置に表示して、表示装置を恰も鏡のように使用することがある。
【０００５】
例えば、表示装置の周辺部にカメラなどの撮像装置を配置し、当該カメラによって利用者を撮影して得られた画像を左右反転して表示装置に鏡像表示するようにした表示装置がある（特許文献１参照）。特許文献１に記載の表示装置では、奥行き方向（表示面に対して垂直方向）の長さを小さくするために、カメラを表示装置の近傍（周辺部）に配置している。
【先行技術文献】
【特許文献】
【０００６】
【特許文献１】特開２００４−３５５４９４号公報
【発明の概要】
【発明が解決しようとする課題】
【０００７】
ところで、特許文献１に記載の表示装置が携帯型である場合には、表示装置を鏡として用いる場合に、表示装置と利用者との相対位置が変化してしまうことがある。例えば、後述するように、利用者の頭が動いてカメラおよび表示装置との距離が変化すると、表示装置に表示される利用者の顔の大きさは約２倍の敏感度で変化して、表示装置を鏡として使用する利用者に違和感を与えてしまうことになる。
【０００８】
そこで、本発明の目的は、表示装置を鏡として用いる際に、利用者に違和感を与えることのない表示装置、その制御方法、および制御プログラムを提供することにある。
【課題を解決するための手段】
【０００９】
上記の目的を達成するため、本発明による表示装置は、画像が表示される表示パネルと、被写体を撮像して画像データを得る撮像装置とを有する表示装置であって、前記画像データにおいて前記被写体の大きさを検出するとともに、前記撮像装置と前記被写体との距離を観察距離として検出する第１の検出手段と、前記被写体の大きさおよび前記観察距離に基づいて、前記画像データに応じた画像を前記表示パネルに表示する際の表示倍率を設定する設定手段と、前記表示倍率に基づいて前記画像データに応じた画像の大きさを補正して、当該補正された画像を前記表示パネルに表示する第１の表示制御を行う表示制御手段と、を有することを特徴とする。
【００１０】
本発明による制御方法は、画像が表示される表示パネルと、被写体を撮像して画像データを得る撮像装置とを有する表示装置の制御方法であって、前記画像データにおいて前記被写体の大きさを検出するとともに、前記撮像装置と前記被写体との距離を観察距離として検出する検出ステップと、前記被写体の大きさおよび前記観察距離に基づいて、前記画像データに応じた画像を前記表示パネルに表示する際の表示倍率を設定する設定ステップと、前記表示倍率に基づいて前記画像データに応じた画像の大きさを補正して、当該補正された画像を前記表示パネルに表示する表示制御ステップと、を有することを特徴とする。
【００１１】
本発明による制御プログラムは、画像が表示される表示パネルと、被写体を撮像して画像データを得る撮像装置とを有する表示装置で用いられる制御プログラムであって、前記表示装置が備えるコンピュータに、前記画像データにおいて前記被写体の大きさを検出するとともに、前記撮像装置と前記被写体との距離を観察距離として検出する検出ステップと、前記被写体の大きさおよび前記観察距離に基づいて、前記画像データに応じた画像を前記表示パネルに表示する際の表示倍率を設定する設定ステップと、前記表示倍率に基づいて前記画像データに応じた画像の大きさを補正して、当該補正された画像を前記表示パネルに表示する表示制御ステップと、を実行させることを特徴とする。
【発明の効果】
【００１２】
本発明によれば、被写体の大きさおよび観察距離に基づいて画像を表示パネルに表示する際の表示倍率を設定して、当該表示倍率に基づいて画像の大きさを補正する。これによって、表示装置を鏡として用いる際に利用者に違和感を与えることがないようにすることができる。
【図面の簡単な説明】
【００１３】
【図１】本発明の第１の実施形態による表示装置の外観を説明するための図であり、（ａ）は表示装置を正面から見た図であり、図１（ｂ）は表示装置を上側から見た図である。
【図２】図１に示す表示装置の制御系の一例を示すブロック図である。
【図３】図１および図２に示す表示装置における表示制御動作を説明するためのフローチャートである。
【図４】図３に示す表示画像の大きさ設定処理を説明するためのフローチャートである。
【図５】カメラで撮影された画像を表示パネルに表示して鏡として用いる一例を説明するための図であり、（ａ）は利用者による鏡の使用を示す図、（ｂ）は表示パネルを鏡として用いる場合のカメラによる撮影を示す図である。
【図６】表示装置の周辺部にカメラを配置して利用者の撮影を行う場合について説明するための図である。
【発明を実施するための形態】
【００１４】
以下に、本発明の実施の形態による表示装置の一例について図面を参照して説明する。
【００１５】
まず、本発明の実施の形態による表示装置について説明する前に、表示装置に備えられたカメラなどの撮像装置で利用者を撮影して、撮影の結果得られた画像を表示装置に表示して表示装置を鏡として用いる場合について説明する。
【００１６】
表示装置にはその背面側にカメラが配置されたものであり、このような表示装置では、表示装置に備えられた表示パネルを介して光がカメラに入射する。そして、カメラで撮像された画像は表示パネルに表示される。
【００１７】
図５は、カメラで撮影された画像を表示パネルに表示して鏡として用いる一例を説明するための図である。そして、図５（ａ）は利用者による鏡の使用を示す図であり、図５（ｂ）は表示パネルを鏡として用いる場合のカメラによる撮影を示す図である。
【００１８】
まず、図５（ａ）を参照して、利用者αは鏡２００から距離Ｚα離れた位置から鏡２００に映った自分の顔を観察しているものとする。ここでは、利用者αは、利用者αと鏡２００との距離Ｚαだけ鏡２００から右側に離れた位置にいる自分の顔を観察していることになる。よって、カメラ２１１で利用者αを撮影した得られた画像を表示パネルに表示して表示装置を鏡として用いる際には、上記の位置にカメラ２１１を配置する必要がある。つまり、カメラ２１１を利用者αから距離２Ｚαの位置に配置する必要がある。
【００１９】
続いて、図５（ｂ）を参照して、いま、カメラ２１１が撮影レンズ２１２と撮像素子２１０を備えているものとする。ここで、撮影レンズ２１２と撮像素子２１０との間隔をＺβとすると、利用者αに関する撮影倍率ｍ１は、次の式（１）で表される。
【００２０】
ｍ１＝Ｚβ／（２Ｚα）      （１）
前述の特許文献１に記載の表示装置では、カメラで利用者を撮影して得られた画像を左右反転して表示装置に鏡像表示するようにしている。
【００２１】
図６は、表示装置の周辺部にカメラを配置して利用者の撮影を行う場合について説明するための図である。
【００２２】
図６において、利用者αから距離Ｚαの位置に、撮影レンズ１２および撮像素子１０を有するカメラ１１が配置されている。ここで、撮影レンズ１２と撮像素子１０との間隔をＺγとすると、利用者αに関する撮影倍率ｍ２は、次の式（２）で表される。
【００２３】
ｍ２＝Ｚγ／Ｚα      （２）
この際、利用者αが鏡から距離Ｚα離れた位置から鏡を見ている場合と同様とするためには、撮影レンズ１２と撮像素子１０との間隔Ｚγを、次の式（３）で示すように設定する必要がある。
【００２４】
Ｚγ＝Ｚβ／２      （３）
前述のように、表示装置が携帯型である場合、表示装置を鏡の代わりに使用する際には、表示装置（つまり、ここではカメラ）と利用者との相対位置が変化してしまうことがある。例えば、図６において、カメラと利用者との距離がＺδ変化すると、その撮影倍率ｍ２′は式（２）と同様にして求めることができる。そして、この際の撮影倍率の変化Δｍ２（＝ｍ２−ｍ２′）は、次の式（４）で表される。
【００２５】
Δｍ２＝Ｚγ・Ｚδ／Ｚα／（Ｚα＋Ｚδ）      （４）
一方、鏡と利用者の顔との距離がＺδ変化した際の撮影倍率ｍ１′は式（１）と同様にして求めることができる。そして、この際の撮影倍率の変化Δｍ１（＝ｍ１−ｍ１′）は、式（３）を用いると、次の式（５）で表される。
【００２６】
Δｍ１＝Ｚβ・Ｚδ／（２Ｚα）／（２Ｚα＋Ｚδ）＝Ｚγ・Ｚδ／Ｚα／（２Ｚα＋Ｚδ）      （５）
距離Ｚαが撮影レンズ１２と撮像素子１０との間隔Ｚγより十分大きいとすると、撮影倍率変化の比Δｍ２／Δｍ１は、次の式（６）で表すことができる。
【００２７】
Δｍ２／Δｍ１≒２      （６）
このように、特許文献１に記載の表示装置では、利用者の頭が動いてカメラおよび表示装置との距離が変化すると、表示装置に映る顔画像の大きさはおよそ２倍の敏感度で変化する。この結果、利用者は、表示装置を鏡として用いると実際に鏡に映る自分自身を見ている場合とは異なって違和感が覚えることになる。
【００２８】
続いて、本発明の実施の形態による表示装置の一例について説明する。
【００２９】
図１は、本発明の第１の実施形態による表示装置の外観を説明するための図である。そして、図１（ａ）は表示装置を正面から見た図であり、図１（ｂ）は表示装置を上側から見た図である。
【００３０】
表示装置１は、後述するように、撮像装置を備えており、この撮像装置は、例えば、デジタルカメラ（以下単にカメラと呼ぶ）１１である。表示装置１の前面には表示パネル２が配置されており、この表示パネル２は光を透過可能である（例えば、有機ＥＬパネル）。表示パネル２の背面側（図中＋ｚ方向）には、表示パネル２を目視する利用者（人物）を撮影するためのカメラ１１が配設されている。このカメラ１１は、表示パネル２の画面中央よりもやや上方（図中＋ｙ方向）に位置し、表示パネル２を介して利用者を撮影する。
【００３１】
表示パネル２の周囲において、表示装置１の筐体には、利用者の音声を集音するマイク２１、２２、および２３と、相手側の音声を出力するスピーカー３１、３２、および３３が配置されている。マイク２１、２２、および２３で集音された音声は、後述の音声処理回路５３において処理される。
【００３２】
なお、複数の利用者が存在する場合には、音声処理回路５３は既知の遅延和手法によって話者を検出する。さらに、複数の利用者が存在する場合には、後述の駆動回路５４はスピーカー３１、３２、および３３を駆動してスピーカー３１、３２、および３３を話者の方向に向ける。そして、表示装置１の筐体側面には、利用者によって操作される操作ＳＷ４０が配置されている。
【００３３】
図２は、図１に示す表示装置の制御系の一例を示すブロック図である。
【００３４】
表示装置１は、システム制御回路５０を有しており、システム制御回路５０は表示装置１の制御を司る。カメラ１１は、撮影レンズ（図示せず）、撮像素子１０、および撮像素子駆動回路５１を備えており、撮影レンズを介して被写体像（ここでは、利用者像）が撮像素子１０に結像する（つまり、受光する）。
【００３５】
撮像素子駆動回路５１は、システム制御回路５０の制御下で、撮像素子１０を駆動して、画素読み出しなどを行う。これによって、撮像素子１０は被写体像（光学像）に応じたアナログ信号を得る。そして、撮像素子１０は当該アナログ信号をＡ／Ｄ変換して、撮像素子駆動回路５１を介して画像データとしてシステム制御回路５０に送る。
【００３６】
マイク２１〜２３で集音された音声は、音声信号として音声処理回路５３に送られる。音声処理回路５３は、システム制御回路５０の制御下で、音声信号に対して所定の処理を行って、音声データとしてシステム制御回路５０に送る。システム制御回路５０は、前述の画像データおよび音声データを送受信回路５６によって相手側の表示装置１に送る。
【００３７】
なお、画像演算回路５７は、システム制御回路５０の制御下で、後述するようにして画像処理を行う。また、システム制御回路５０は画像データを記憶回路５８に記録する。また、記憶回路５８には、後述する倍率などが記憶される。
【００３８】
送受信回路５６はネットワークなどを介して相手側の表示装置と接続される。送受信回路５６を介して相手側の表示装置１から画像データおよび音声データを受信すると、システム制御回路５０は表示処理回路５２によって画像データに応じた画像を表示パネル２に表示する。また、システム制御回路５０は、駆動回路５４によってスピーカー３１〜３３を駆動して、音声データに応じた音声をスピーカー３１〜３３から出力する。
【００３９】
なお、リモコン回路５５は、利用者によって操作されるリモコン（図示せず）から各種指示を受けて、当該指示をシステム制御回路５０に送る。また、システム制御回路５０は、リモコン回路５５を介してリモコンに各種情報を表示する。
【００４０】
図３は、図１および図２に示す表示装置における表示制御動作を説明するためのフローチャートである。なお、図示のフローチャートに係る処理は、システム制御回路５０の制御下で行われる。
【００４１】
表示装置１の電源がオンされると、表示装置１が起動する。電源がオンすると、システム制御回路５０は操作ＳＷ４０による設定モードを確認する（ステップＳ１０１）。そして、システム制御回路５０は設定モードが鏡モードであるか否かを判定する（ステップＳ１０２）。例えば、ここでは、システム制御回路５０は、設定モードがテレビ電話を行うための通信モードであるか又は利用者自身の画像を表示パネル２に表示する鏡モードであるか否かを確認する。設定モードが鏡モードでないと（ステップＳ１０２において、ＮＯ）、つまり、設定モードが通信モードであると、システム制御回路５０は送受信回路５６の接続状態を確認する（ステップＳ１０３）。そして、システム制御回路５０は接続が完了したか否かを判定する（ステップＳ１０４）。
【００４２】
接続が完了していないと（ステップＳ１０４において、ＮＯ）、システム制御回路５０はステップＳ１０３の処理に戻る。一方、接続が完了すると（ステップＳ１０４において、ＹＥＳ）、つまり、送受信回路５６が相手側の表示装置１と通信状態となると、システム制御回路５０はカメラ１０によって利用者αを連続して撮影する（ステップＳ１０５）。この際には、システム制御回路５０は撮像素子駆動回路５１によって撮像素子１０を駆動して画像データを読み出すことになる。
【００４３】
続いて、システム制御回路５０はカメラ１１によって得られた画像データ（第１の画像データ）を送受信回路５６によって相手側の表示装置に送信する（ステップＳ１０６）。一方、システム制御回路５０は送受信回路５６によって相手側の表示装置から画像データ（第２の画像データ）を受信する。そして、システム制御回路５０は画像演算回路５７によって第２の画像データにおける顔の位置を求める。
【００４４】
前述のように、表示装置１においては、表示パネル２の背面側（図中＋ｚ方向）に、カメラ１１が配設されている。そして、相互に会話を行う利用者同士がアイコンタクト状態であるようにするため、表示パネル２においてカメラ１１が配置された位置の近傍に利用者が目視する相手側の顔を表示制御する。
【００４５】
このため、システム制御回路５０は画像演算回路５７によって得られた相手側の顔の位置を表示パネル２においてカメラ１１が配設された位置の近傍となるようにその表示位置を補正するための補正量（表示位置補正量）を算出する（ステップＳ１０７）。そして、システム制御回路５０の制御下で、表示処理回路５２は表示位置補正量に基づいて相手側の顔の位置を表示パネル２においてカメラ１１が配設された位置に対応する位置又はその近傍に表示制御する（ステップＳ１０８）。
【００４６】
表示パネル２に相手側の画像（つまり、顔画像）が表示されると、システム制御回路５０は電源がオフであるか否かを判定する（ステップＳ１０９）。電源がオフでないと（ステップＳ１０９において、ＮＯ）、システム制御回路５０はステップＳ１０１の処理に戻る。
【００４７】
一方、電源がオフとなると（ステップＳ１０９において、ＹＥＳ）、システム制御回路５０は表示パネル２の表示を停止する（ステップＳ１１１）。さらに、システム制御回路５０はカメラ１１による撮像を停止する（ステップＳ１１２）。そして、システム制御回路５０は表示制御処理を終了する。
【００４８】
ステップＳ１０２において、設定モードが鏡モードであると（ステップＳ１０２において、ＹＥＳ）、システム制御回路５０はカメラ１１によって利用者αを撮影して第１の画像データを得る（ステップＳ１１０）。そして、システム制御回路５０は、第１の画像に応じて表示パネル２に表示される画像の大きさを設定する（ステップＳ２００）。ここでは、システム制御回路５０は、表示パネル２に表示される表示画像の大きさが適切になるように表示倍率の補正量を求める。その後、システム制御回路５０はステップＳ１０８の処理に進んで、利用者αの顔画像を表示パネル２に表示する。
【００４９】
図４は、図３に示す表示画像の大きさ設定処理を説明するためのフローチャートである。
【００５０】
表示画像の大きさ設定処理を開始すると、システム制御回路５０は、画像演算回路５７によって第１の画像データにおいて顔を認識する認識処理を行う（ステップＳ２０１）。顔の認識処理の際には、画像演算回路５７は、利用者αの顔の輪郭および目の位置を検出する。そして、システム制御回路５０は、利用者αの顔の輪郭および目の位置に応じて画像における顔の大きさＷαおよび両目の間隔を求める（ステップＳ２０２）。そして、システム制御回路５０は利用者αの両目の間隔とカメラ１１の焦点距離とに基づいて、表示装置１を鏡として用いる利用者αの観察距離（表示パネル２と利用者αとの距離）Ｚαについてその概算値を求める。
【００５１】
続いて、システム制御回路５０は、鏡モードにおいて利用者αの顔を表示する基準となる倍率（表示基準倍率）ｋ０が記憶回路５８に記憶されているか否かを確認する（ステップＳ２０３）。この表示基準倍率ｋ０は、表示装置１を鏡として用いる際に表示パネル２に表示される顔の大きさを適切な大きさにするための倍率であり、利用者αの顔の大きさおよび鏡モードにおける標準的な観察距離（標準観察距離）Ｚα０に依存する。
【００５２】
表示基準倍率ｋ０が記憶されていないと（ステップＳ２０３において、ＮＯ）、システム制御回路５０は標準観察距離Ｚα０における顔の大きさ（基準となる顔の大きさ）Ｗα０と標準観察距離Ｚα０とを記憶回路５８に記憶する（ステップＳ２０４）。さらに、システム制御回路５０は、次のようにして表示基準倍率ｋ０を記憶回路５８に記憶する（ステップＳ２０５）。
【００５３】
ステップＳ２０５においては、システム制御回路５０は、例えば、利用者αに係る標準観察距離Ｚα０において表示パネル２に表示される顔の大きさＷα０を表示パネル２のサイズＷｈの約６割の大きさとなるように、表示基準倍率ｋ０を設定する。つまり、ここでは、表示基準倍率Ｋ０は、次の式（７）で表される。
【００５４】
ｋ０＝０．６×Ｗｈ／Ｗα０      （７）
続いて、システム制御回路５０は利用者αに係る表示画像の大きさを設定する（ステップＳ２０６）。例えば、利用者αが標準観察距離において表示パネル２を目視する場合、システム制御回路５０は利用者αに係る表示画像の大きさ（つまり、顔の大きさ）Ｗを、次の式（８）で設定する。そして、システム制御回路５０は、図３に示すステップＳ１０８の処理に進む。
【００５５】
Ｗ＝Ｗα０×ｋ０      （８）
ステップＳ２０３において、表示基準倍率ｋ０が記憶回路５８に記憶されていると（Ｓ２０３において、ＹＥＳ）、システム制御回路５０は、利用者αの顔の大きさおよび観察距離を更新して顔の大きさＷα１および観察距離Ｚα１として記憶回路５８に記憶する（ステップＳ２０７）。そして、システム制御回路５０は、利用者αの頭の位置が動いていると判定すると、顔の大きさの変化量ΔＷα（＝Ｗα１−Ｗα０）を算出する（ステップＳ２０８）。
【００５６】
前述のように、表示パネル２の背面側にカメラ１１が配設されているので、式（６）式に示すように、利用者αの頭が動くとカメラ１１と利用者αとの距離が変化する。そして、当該距離が変化すると、表示パネル２に表示される利用者αの顔の大きさは鏡に比べておよそ２倍の敏感度で変化する。
【００５７】
このため、システム制御回路５０は、利用者αが恰も鏡を見ているように顔の表示を行うために顔の大きさの変化量が半分（１／２）となるように表示制御を行う。つまり、システム制御回路５０は、ステップＳ２０６において、変化量ΔＷαに基づいて利用者αの顔画像の大きさＷを、次の式（９）で示す大きさに設定する。
【００５８】
Ｗ＝［Ｗα０＋（Ｗα１−Ｗα０）／２］×ｋ０      （９）
このように表示制御を行うと、利用者αの頭が動いて、表示装置１、つまり、カメラ１１との距離が変化しても、利用者αは恰も鏡を目視しているように制御することができる。
【００５９】
上述のようにして、利用者αの顔画像の大きさＷを設定した後、システム制御回路５０は、図３に示すステップＳ１０８の処理に進む。
【００６０】
上述のように、本発明の実施の形態では、顔の大きさの変化量に応じて顔画像の大きさの表示制御を行うようにしたので、表示装置を鏡として用いる際に、たとえ利用者が動いたとしても利用者に違和感を与えることがない。
【００６１】
なお、上述の実施の形態では、カメラ１１を表示パネル２の背面に配置した例について説明したが、カメラを表示パネルの周囲に配置した場合についても同様にして適用することができる。また、カメラ１１が表示パネル２からその光軸方向に所定の距離離れた位置に配設されている場合には、カメラ１１を配置した位置を考慮して鏡モードにおける表示画像の大きさを制御する。
【００６２】
上述の説明から明らかなように、図２に示す例では、システム制御回路５０および画像演算回路５７が第１の検出手段および第２の検出手段として機能する。また、システム制御回路５０は設定手段として機能し、システム制御回路５０および表示処理回路５２は表示制御手段として機能する。そして、操作ＳＷ４０およびシステム制御回路５０は選択手段として機能する。
【００６３】
以上、本発明について実施の形態に基づいて説明したが、本発明は、これらの実施の形態に限定されるものではなく、この発明の要旨を逸脱しない範囲の様々な形態も本発明に含まれる。
【００６４】
例えば、上記の実施の形態の機能を制御方法として、この制御方法を表示装置に実行させるようにすればよい。また、上述の実施の形態の機能を有するプログラムを制御プログラムとして、当該制御プログラムを表示装置が備えるコンピュータに実行させるようにしてもよい。なお、制御プログラムは、例えば、コンピュータに読み取り可能な記録媒体に記録される。
【００６５】
［その他の実施形態］
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００６６】
２  表示パネル
１０  撮像素子
４０  操作ＳＷ
５０  システム制御回路
５１  撮像素子駆動回路
５２  表示処理回路
５３  音声処理回路
５６  送受信回路
５７  画像演算回路
５８  記憶回路
【図１】
2017069773.tif 000003
【図２】
2017069773.tif 000004
【図３】
2017069773.tif 000005
【図４】
2017069773.tif 000006
【図５】
2017069773.tif 000007
【図６】
2017069773.tif 000008